(57)【特許請求の範囲】
【請求項１】
熱または光で形状変化する感熱素材を被写体に近似させたキャラクター人形として形成し、被写体を撮影した像を前記キャラクター人形に印画して提供する装置であって、
前記装置は、感熱素材をターンテーブル上に備えており、
被写体を囲むリングに複数のファインダーが設けられ、上下方向に移動しながら操作者の操作で被写体を撮影する撮影手段と、
前記複数のファインダーのそれぞれから得られた被写体までの距離情報を被写体の輪郭を上下方向に連続した輪切り状の輪郭情報とする奥行情報取得手段と、
前記奥行情報取得手段及び撮影手段によって得られた情報に基づき、前記ターンテーブルを回転駆動しながら前記感熱素材に光量を変えてレーザを照射することにより前記感熱素材を被写体に模した形状に成型する光学的描画手段と、
前記感熱素材に感光薬を塗布して印画する印画手段、
とが備えられていることを特徴とする自動印画装置。
【発明の詳細な説明】
【０００１】
【発明の属する技術分野】
本発明は、撮影された被写体を模した形状に感熱素材成形し、それに印画形成して提供する装置に関する。
【０００２】
【従来の技術】
被写体を撮影しその印画を提供する通称プリクラは、操作者自身を被写体としてシールにする装置であり、無人で設置されて気軽に利用できるものとなっている。このような装置で作成されるシールは、自身の所有物に貼り付けたり、気軽に配布することもできることから、現在では生活必需品となっている。特に、屋外に持ち出す携帯品に、このようなシールを貼ることは有効で、携帯電話にそのようなシールを貼るケースもある。しかし、携帯電話に貼り付けられた場合は、携帯電話そのものを汚したり、また、シールが貼られた携帯電話は見栄えの悪いものとなっている。これにより、シールが貼り付け可能に携帯ストラップが形成されたが、被写体に模した立体形状を成形し、それに印画した人形付き携帯ストラップを提供する装置はなかった。
【０００３】
【発明が解決しようとする課題】
日常的に用いられる携帯品や、携帯ストラップに、被写体に模した立体形状の人形等に被写体の印画し、これを付けて提供できるように装置を開発することである。
【０００４】
請求項１の発明は、熱または光で形状変化する感熱素材を被写体に近似させたキャラクター人形として形成し、被写体を撮影した像を前記キャラクター人形に印画して提供する装置であって、
前記装置は、感熱素材をターンテーブル上に備えており、
被写体を囲むリングに複数のファインダーが設けられ、上下方向に移動しながら操作者の操作で被写体を撮影する撮影手段と、
前記複数のファインダーのそれぞれから得られた被写体までの距離情報を被写体の輪郭を上下方向に連続した輪切り状の輪郭情報とする奥行情報取得手段と、
前記奥行情報取得手段及び撮影手段によって得られた情報に基づき、前記ターンテーブルを回転駆動しながら前記感熱素材に光量を変えてレーザを照射することにより前記感熱素材を被写体に模した形状に成型する光学的描画手段と、
前記感熱素材に感光薬を塗布して印画する印画手段、
とが備えられていることを特徴とする。
【０００５】
感熱素材をレーザで形状変化させることにより、携帯品は被写体を模したキャラクター人形として提供される。
【０００６】
【発明の実施の形態】
図５は本発明の被写体２０に近似させたキャラクター人形として提供する自動印画装置１’’を説明した図である。この自動印画装置１’’は、回転駆動するターンテーブル１４上に、レーザ１３の光量に応じて膨張もしくは収縮するような感熱素材９を備えたものである。被写体２０を撮影する際には、被写体２０の周囲を覆うリング１２が、上下方向に移動して撮影する。即ち、このリング１２には、ファインダー１１が多数設けられており、このファインダー１１から被写体２０に関する距離情報を得る。これにより、被写体２０の外郭が、連続した輪切り状の輪郭として光学的描画手段１７に情報伝送される。光学的描画手段１７はこの輪郭情報を受けて、レーザ１３の光量を変えて、感熱素材９を被写体２０に模した形状とすることができる。さらに、印画手段１８は、感熱素材９に感光薬を塗布すると共に、立体画像として撮影された被写体を適宜な印画手法で印画するものである。この印画の際に、被写体２０の立体画像情報をコンピュータでデフォルメして、キャラクター人形とすることもできる。
【０００７】
図１は、本発明の別の実施例の自動印画装置１を示した概略図である。この自動印画装置１は、中央に被写体を撮影するカメラ３（撮影手段）が備えられており、操作者の操作で被写体を撮影することができる無人装置である。この自動印画装置１の内部には、撮影された被写体を表示するように、印画部５（図２参照）と特定のキャラクターに模して形成された付属具６（図２参照）とが設けられた携帯ストラップ１０（携帯品）が多数備えられている。カメラ３の撮影範囲外で操作者が操作し易い位置には、好みの付属具６が選択できるように、携帯ストラップ１０（携帯品）を選択する選択パネル７が備えられている。
【０００８】
さらに、撮影された被写体を携帯品１０の印画部５に印画できるように、印画手段（図省略）が設けられている。この印画手段は、選択パネル７で選択された携帯品１０の印画部５に被写体の像が映るように、カメラ３と光学的に連動して設けられており、撮影後に自動的に薬品処理する。このように構成された自動印画装置１は、携帯品１０に被写体を印画して撮影者のオリジナルな携帯品１０を提供する。
【０００９】
図２は、携帯電話２０に取り付けられるように、印画部５と特定のキャラクターに模して形成された付属具６とが設けられた携帯ストラップ１０（携帯品）の一例を示したものである。この図の印画部５は、撮影された被写体を印画する平面部分であり、表面は印画可能に処理されている。また、付属具６は、流行を取り入れて形成されており、その形状は、選択パネル７（図３参照）で選択できるように構成されている。また、この図ではストリング２が設けられた携帯ストラップ１０（携帯品）を示したが、自動印画装置１に備えられる携帯品１０は、キーホルダーや定期入れ等屋外に持ち出される携帯品総てに適応する。
【００１０】
図３は、選択パネル７を示したものである。この選択パネル７は、自動印画装置１に用意されている携帯品１０を、特徴的に画面で表示し、操作者に提供される携帯品１０を想起させて選択させるものである。また、この選択パネル７には、シールとしてプリントさせるシール選択や、携帯ストラップ１０以外の携帯品１０として、例えばキーホルダーなども選択できるものである。以下、この選択パネル７から選択されて提供される携帯品の一例を説明する。
【００１１】
図中（ａ）は、所望モデルの顔部分に自分の顔を重ねるように印画させるものである。これにより、自分の顔が映し出されて好適な携帯品が提供される。（ｂ）は、付属具６が人物像として形成されており、その顔部分に印画部５を備えたものである。この例において、複数の人間が一緒に撮影してもよいように、付属具６を複数の人間像として形成することもできる。（ｃ）は、自家用車などの車のキーを保持するキーホルダーが、自身を撮影した印画部５と自動車形状の付属具６とで形成されていることを示したものである。この他にも（ｄ）に示すように、植物などを背景として印画したり、被写体をペットとしてペット用の携帯品とすることもできる。
【００１２】
以上説明したように、操作者が被写体を撮影することにより、撮影された被写体が好みの携帯品１０に印画されて提供される自動印画装置１である。また、印画部５は、表面を保護する被膜が塗布されて、劣化しないような工夫がされている。さらに、このような自動印画装置１は、通称プリクラのような被写体シールを作成するような装置と連係されて構成されてもよい。
【００１３】
図４は、立体印画用の自動印画装置１’を説明する図である。印画部５を立体的に印画形成する為に、この自動印画装置１に備えられる携帯品の印画部５には、熱または光で形状変化する感熱素材９が敷設されている。この感熱素材９を形状変化させる為に、自動印画装置１’、被写体２０までの距離情報を得る奥行情報取得手段１６と、前記奥行情報取得手段１６によって得られた情報に基づき、レーザ１３を照射し、印画部５に凹凸を形成する光学的描画手段１７とを備えている。詳述すると、この奥行情報取得手段１６は、被写体２０を微小セルに分割し、それぞれのセルまでの距離をデジタル信号に換えて記憶できるように構成されている。また、被写体２０までの距離情報として記憶されたデジタル信号は、光学的描画手段１７に伝送され、その距離情報に基づいて光量を変えてレーザ１３を発生させるものである。レーザ１３の光量に応じて、感熱素材９は膨張もしくは収縮して凹凸を形成し、これにより、被写体２０の外郭が立体的に印画部５に形成される。立体的に形成された印画部５には、撮影手段１５で撮影した被写体２０を印画手段１８で印画する。印画手段１８は、印画部５に感光薬を塗布し、レンズで被写体を投射する方法でもよいが、逆に、被写体２０を印画部５に印画させた後に、レーザ１３を照射して、凹凸を形成させてもよい。
【００１４】
【発明の効果】
本発明は、被写体が表示されるように印画部が設けられた携帯品に対して、被写体の像を転写して提供する装置である。この装置により、被写体を印画した携帯品が提供できる。また、自分の顔を印画した現在流行のキャラクター付き携帯品として提供することもできる。また、携帯品が携帯電話であった場合は、印画付き携帯ストラップを取り付けることにより、携帯電話を汚すことがなくなる。さらに、被写体が立体的に印画形成されたものは、その所有者の個性を表現したものとすることができる。感熱素材をレーザで形状変化させることにより、携帯品は被写体を模したキャラクター人形として提供できる。
【図面の簡単な説明】
【図１】  本発明の他の実施例の自動印画装置を示した概略図である。
【図２】  自動印画装置に備えられる携帯品の例である。
【図３】  自動印画装置に設けられた操作パネルである。
【図４】  感熱素材が敷設された印画部を立体的に印画形成する自動印画装置である。
【図５】  本発明の被写体を立体的に形成する自動印画装置である。
【符号の説明】
１  １’１’’  自動印画装置
２  ストリング
３  １５  カメラ（撮影手段）
４  取り出し口
５  印画部
６  付属具
７  操作パネル
９  感熱素材
１０  携帯ストラップ（携帯品）
１１  ファインダ
１２  リング
１３  レーザ
１４  ターンテーブル
１６  奥行情報手段
１７  光学的描画手段
１８  印画手段
２０  被写体（ａ）、（ｂ）、（ｃ）、（ｄ）  付属具の形態を示したものである。
【図１】
0003785483.tif 000002
【図２】
0003785483.tif 000003
【図３】
0003785483.tif 000004
【図４】
0003785483.tif 000005
【図５】
0003785483.tif 000006